(57)【要約】【課題】再生動作中に高周波モジュールが動作することによる高周波帯域での輻射波の発生を抑制し、電波受信装置への影響を低減した光ディスク再生装置を提供する。【解決手段】光ディスク再生装置１００は、光ディスク１０にレーザ光を照射するレーザ発光部１１１と、レーザ発光部１１１を駆動する駆動電流に高周波電流を重畳して戻り光による再生ノイズの発生を抑制する高周波モジュール１１４と、を含む光ピックアップ部１１と、高周波モジュール１１４の動作状態を制御すると共に、光ディスク１０から読み出される信号から再生ジッタを測定し、高周波モジュール１１４が非動作状態にあり、かつ、光ディスク１０の再生を継続するのに必要な再生ジッタを維持できると判定された場合に、高周波モジュール１１４を非動作状態としたまま光ディスク１０の再生を行う制御部１４と、により構成される。【選択図】図１
2011081852.tif 000002
【特許請求の範囲】
【請求項１】
光ディスクにレーザ光を照射するレーザ発光部と、前記レーザ発光部を駆動する駆動電流に高周波電流を重畳して戻り光による再生ノイズの発生を抑制する高周波モジュールと、を含む光ピックアップ部と、
前記高周波モジュールの動作状態を制御すると共に、前記光ディスクから読み出される信号から再生ジッタを測定し、前記高周波モジュールが非動作状態にあり、かつ、前記光ディスクの再生を継続するのに必要な再生ジッタを維持できると判定された場合に、前記高周波モジュールを非動作状態としたまま前記光ディスクの再生を行う制御部と、
を備えたことを特徴とする光ディスク再生装置。
【請求項２】
前記制御部は、
前記光ディスクの再生起動時、前記高周波モジュールを動作状態に設定すると共に前記再生ジッタを測定し、前記測定した再生ジッタが閾値以上の場合に、前記高周波モジュールの動作状態を継続制御し、前記閾値未満の場合に、前記高周波モジュールを非動作状態に設定して前記再生ジッタを再測定し、前記再測定の結果に基づき前記高周波モジュールの動作状態を制御することを特徴とする請求項１記載の光ディスク再生装置。
【請求項３】
前記制御部は、
前記光ディスクの再生中、前記高周波モジュールの動作状態を定期的に監視し、前記高周波モジュールが動作状態にあり、かつ前記測定した再生ジッタが前記閾値以上の場合に前記高周波モジュールを動作状態に設定し、前記再生ジッタが前記閾値未満になるまで前記レーザ発光部への駆動電流に重畳する前記高周波電流を調整して前記戻り光による再生ノイズの発生を抑制することを特徴とする請求項１記載の光ディスク再生装置。
【請求項４】
前記制御部は、
前記高周波モジュールが非動作状態にあり、かつ、前記測定した再生ジッタが前記閾値以上の場合に、前記高周波モジュールを動作状態に設定して前記高周電流を段階的に増加させる制御を行い、前記高周波電流を所定回数増加させても前記再生ジッタが前記閾値未満にならない場合は、前記高周波モジュールを強制的に非動作状態に設定して前記戻り光による再生ノイズの発生を抑制することを特徴とする請求項３記載の光ディスク再生装置。
【発明の詳細な説明】
【技術分野】
【０００１】
本発明は、レーザ発光部の駆動電流に高周波電流を重畳し、光ディスクからの戻り光による再生ノイズの発生を抑制する高周波モジュールを備えた光ディスク再生装置に関する。
【背景技術】
【０００２】
ＤＶＤ（Digital Versatile Disc）等の光ディスクを再生する光ディスク再生装置では、レーザ発光部として使用されるＬＤ（Laser Diode）の戻り光による再生ノイズを低減させるために、光ピックアップユニットに内蔵された高周波モジュールにより、ＬＤ駆動電流に数百ＭＨｚ帯域の高周波電流を重畳している。
【０００３】
上述した高周波モジュールを内蔵する光ピックアップユニットにより光ディスクに記録された情報を読み取り再生する光ディスク再生装置において、例えば、特許文献１には、省電力化、温度上昇の抑制、半導体レーザの延命化を目的として、レーザ発光部が発光しない区間、光ディスクから情報を読み出す準備動作中、及び光ディスクに情報を記録するための記録準備動作中は、高周波モジュールの動作を停止させる技術が開示されている。
【先行技術文献】
【特許文献】
【０００４】
【特許文献１】特開２００４−３５５７９５号公報
【発明の概要】
【発明が解決しようとする課題】
【０００５】
特許文献１に開示された技術によれば、光ディスク再生装置の省電力化、ＬＤの延命化は可能であるが、再生動作中は高周波モジュールが動作することによる輻射波が常に発生するため、再生動作中の輻射波を抑制することが困難であると考えられる。したがって、例えば、車載装置において、ＡＭ／ＦＭラジオ等の電波受信装置も同時に動作させている状況では、高周波モジュールから発生する高周波帯域の輻射波が電波受信装置に悪影響を及ぼして再生ノイズを発生させる等、動作不具合を起こすという課題があった。
【０００６】
本発明は上記した課題を解決するためになされたものであり、再生動作中に高周波モジュールが動作することによる高周波帯域での輻射波の発生を抑制し、電波受信装置への影響を低減した光ディスク再生装置を提供することを目的とする。
【課題を解決するための手段】
【０００７】
上記した課題を解決するために本発明の光ディスク再生装置は、光ディスクにレーザ光を照射するレーザ発光部と、前記レーザ発光部を駆動する駆動電流に高周波電流を重畳して戻り光による再生ノイズの発生を抑制する高周波モジュールと、を含む光ピックアップ部と、前記高周波モジュールの動作状態を制御すると共に、前記光ディスクから読み出される信号から再生ジッタを測定し、前記高周波モジュールが非動作状態にあり、かつ、前記光ディスクの再生を継続するのに必要な再生ジッタを維持できると判定された場合に、前記高周波モジュールを非動作状態としたまま前記光ディスクの再生を行う制御部と、を備えたものである。
【発明の効果】
【０００８】
本発明によれば、再生動作中に高周波モジュールが動作することによる高周波帯域での輻射波の発生を抑制し、電波受信装置への影響を低減した光ディスク再生装置を提供することができる。
【図面の簡単な説明】
【０００９】
【図１】本発明の実施の形態１に係る光ディスク再生装置の構成を示すブロック図である。
【図２】本発明の実施の形態１に係る光ディスク再生装置の制御部の構成を機能展開して示したブロック図である。
【図３】本発明の実施の形態１に係る光ディスク再生装置の動作を示すフローチャートである。
【図４】本発明の実施の形態１に係る光ディスク再生装置の動作（ケース１）を示すタイミング図である。
【図５】本発明の実施の形態１に係る光ディスク再生装置の動作（ケース２）を示すタイミング図である。
【図６】本発明の実施の形態１に係る光ディスク再生装置の動作（ケース３）を示すタイミング図である。
【図７】本発明の実施の形態１に係る光ディスク再生装置の動作（ケース４）を示すタイミング図である。
【図８】本発明の実施の形態１に係る光ディスク再生装置の動作（ケース５）を示すタイミング図である。
【図９】本発明の実施の形態１に係る光ディスク再生装置の動作（ケース６）を示すタイミング図である。
【図１０】本発明の実施の形態１に係る光ディスク再生装置の動作（ケース７）を示すタイミング図である。
【図１１】本発明の実施の形態２に係る光ディスク再生装置の制御部の構成を機能展開して示したブロック図である。
【図１２】本発明の実施の形態２に係る光ディスク再生装置の動作を示すフローチャートである。
【図１３】本発明の実施の形態２に係る光ディスク再生装置の動作を示すタイミング図である。
【発明を実施するための形態】
【００１０】
実施の形態１．
図１は、本実施の形態１に係る光ディスク再生装置１００の構成を示すブロック図である。図１によれば、本実施の形態１に係る光ディスク再生装置１００は、光ピックアップ部１１と、信号処理部１２と、レーザ制御部１３と、制御部１４と、を含み構成される。
【００１１】
光ピックアップ部１１は、情報記録媒体としての光ディスク１０にレーザ光を照射することにより記録された情報を読み取る、あるいは書き込む機能を有する。このため、光ピックアップ部１１は、レーザ発光部１１１と、光検出器１１２と、パワー検出器１１３と、高周波モジュール１１４と、光学部品である対物レンズ１１５およびビームスプリッタ１１６と、により構成される。
【００１２】
レーザ発光部１１１は、波長が約６５０ｎｍの赤色レーザを発光する。ここで発光され出射された光は、不図示のコリメータレンズにより略平行な光に変換され、ビームスプリッタ１１６を通過し、例えば、ＮＡ０．６の対物レンズ１１５で光ディスク１０のグルーブまたはランドにビームとして集光される。
【００１３】
光ディスク１０で反射された光は、対物レンズ１１５に戻り、ビームスプリッタ１１６で光路が変更され、不図示の検出光学系を介して、複数のパターン化した受光領域から構成される光検出器１１２に入射される。
光検出器１１２で検出された信号は、信号処理部１２（後述する信号生成マトリックス回路１２１）に入力され、ここで高周波信号（ＲＦ信号）他、トラッキング誤差信号（ＴＥ信号）、フォーカス誤差信号（ＦＥ信号）等の制御信号が生成される。
【００１４】
レーザ発光部１１１は、外部のレーザ制御部１３（後述するレーザ駆動回路１３１）、及び内蔵する高周波モジュール１１４により並列駆動される。高周波モジュール１１４は、レーザ発光部１１１を駆動する駆動電流に高周波電流を重畳し、光ディスク１０の戻り光による再生ノイズの発生を抑制するものである。
高周波モジュール１１４は、本実施の形態１では、光ピックアップ部１１に内蔵されるものとして説明するが、光ピックアップ部１１に外付けされたＩＣチップであっても構わない。通常の光ディスク再生装置１００において、高周波モジュール１１４は、再生動作中、および再生準備動作中におけるレーザ発光部１１１の連続発光時に駆動されるが、本実施の形態１では、後述するように、再生ジッタが閾値より低い場合と、再生起動時のみ電源が供給され動作を行う。
【００１５】
パワー検出器１１３は、レーザ発光部１１１の出射パワーを検出する。ここで検出された信号は、レーザ制御部１３（後述するパワー検出信号回路１３２）に出力され、制御部１４による制御の下でレーザ駆動回路１３１へフィードバックされる。
【００１６】
信号処理部１２は、光ピックアップ部１１（光検出器１１２）から出力される再生信号をサンプルホールドして再生信号を復調する他に、再生ジッタ判定のための使用されるＲＦ信号、不図示のサーボ系の制御のために使用するＴＥ、ＦＥ信号等の制御信号を分離生成して制御部１４へ供給する機能を有する。
このため、信号処理部１２は、信号生成マトリックス回路１２１と、アナログデシタル変換器（Ａ／Ｄコンバータ１２２）と、デジタルアナログ変換器（Ｄ／Ａコンバータ１２３）と、を含み構成される。
【００１７】
信号生成マトリックス回路１２１は、光ピックアップ部１１が内蔵する光検出器１１２によって検出される信号を入力として得て、ＲＦ信号、ＴＥ信号、ＦＥ信号を分離生成し、これら生成された信号をＡ／Ｄコンバータ１２２によりデジタル信号に変換して制御部１４へ出力する。また、制御部１４により生成される制御信号は、Ｄ／Ａコンバータ１２３によりアナログ信号に変換され、光ピックアップ部１１が内蔵する高周波モジュール１１４、およびレーザ制御部１３が内蔵するレーザ駆動回路１３１へ出力される。
【００１８】
レーザ制御部１３は、光ピックアップ部１１が内蔵するレーザ発光部１１１の発光動作を制御する機能を有する。このため、レーザ制御部１３は、レーザ駆動回路１３１と、パワー検出信号回路１３２とを含み構成される。
【００１９】
レーザ駆動回路１３１は、上述した高周波モジュール１１４と共にレーザ発光部１１１を駆動する駆動信号を生成する。そして、パワー検出器１１３により検出されたパワーは、パワー検出信号回路１３２で検出され、ここで検出された信号に基づき、制御部１４による制御の下、最適なパワーパターンで光ディスク１０にレーザ光が照射される。
【００２０】
制御部１４は、光ディスク再生装置１００として光ディスク１０を再生するための制御中枢となる他、ここでは、特に、光ピックアップ部１１が内蔵する高周波モジュール１１４の動作状態を制御すると共に、光ディスク１０から読み出される信号から再生ジッタを測定し、高周波モジュール１１４が非動作状態にあり、かつ、光ディスク１０の再生を継続するのに必要な再生ジッタを維持できると判定された場合に、高周波モジュール１１４を非動作状態としたまま光ディスク１０の再生を行う機能を有する。
【００２１】
制御部１４は、例えば、マイクロプロセッサで構成され、内蔵もしくは外付けされるメモリに記録されたプログラムを逐次読み出し、実行することにより、上述した機能を実現する。このため、制御部１４は、図２にその内部構成が機能展開され示されているように、主制御部１４０と、再生ジッタ判定部１４１と、動作状態制御部１４２と、を含み構成される。
【００２２】
再生ジッタ判定部１４１は、信号処理部１２の信号生成マトリックス回路１２１により生成されるＲＦ信号から再生ジッタを測定し、その結果を主制御部１４０へ通知する機能を有する。動作状態制御部１４２は、主制御部１４０による制御の下、再生起動時、高周波モジュール１１４を動作状態に設定し、再生ジッタ判定部１４１により判定される再生ジッタが閾値を超える場合に高周波モジュール１１４の動作状態を継続制御し、閾値より小さい場合に高周波モジュール１１４を非動作状態に設定して再生ジッタを再測定した結果に基づき高周波モジュール１１４の動作状態を制御する機能を有する。ここで制御される動作状態とは、高周波モジュール１１４に対する電源供給のＯＮ／ＯＦＦとする。
【００２３】
主制御部１４０は、制御部１４が、高周波モジュール１１４の動作状態を制御すると共に、光ディスク１０から読み出される信号から再生ジッタを測定し、高周波モジュール１１４が非動作状態にあり、かつ、光ディスク１０の再生を継続するのに必要な再生ジッタを維持できると判定された場合に、高周波モジュール１１４を非動作状態としたまま光ディスク１０の再生を行う機能を実行するために、上述した再生ジッタ判定部１４１と、動作状態制御部１４２のシーケンス制御を行う。
【００２４】
なお、制御部１４は、不図示の再生系、アクチュエータやスピンドルモータの動きをコントロールするサーボ系の制御も司る。この再生系や、サーボ制御系については、本発明と直接的に関係しないため、ここでは図示省略してある。
【００２５】
図３は、本実施の形態１に係る光ディスク再生装置１００の動作を示すフローチャートである。
以下、図３のフローチャートを参照しながら、図１、図２に示す本実施の形態１に係る光ディスク再生装置１００（制御部１４）の動作について詳細に説明する。
【００２６】
図３によれば、制御部１４（主制御部１４０）は、再生起動時、まず、動作状態制御部１４２を制御して高周波モジュール１１４の電源をＯＮ設定する（ステップＳＴ３０１）。主制御部１４０は、次に、再生ジッタ判定部１４１にて再生ジッタの判定を行う（ステップＳＴ３０２）。
再生ジッタ判定部１４１では、信号処理部１２（信号生成マトリックス回路１２１）から出力されるＲＦ信号を、例えば、８％の判定閾値と比較し、再生ジッタが８％未満か否かを判定する（ステップＳＴ３０３）。再生ジッタ判定部１４１は、再生ジッタが８％以上の場合は、“ＨＩＧＨ”信号を、８％未満の場合は、“ＬＯＷ”信号を、それぞれ動作状態制御部１４２へ出力する。
【００２７】
動作状態制御部１４２は、再生ジッタ判定部１４１から“ＨＩＧＨ”信号（８％以上）を受信した場合は（ステップＳＴ３０３“ＮＯ”）、Ｄ／Ａコンバータ１２３を介して高周波モジュール１１４の電源をＯＮ状態に設定したままとし、“ＬＯＷ”信号（８％未満）を受信した場合は（ステップＳＴ３０３“ＹＥＳ”）、高周波モジュール１１４の電源をＯＦＦ設定する（ステップＳＴ３０４）。
高周波モジュール１１４の電源がＯＦＦ設定されると、主制御部１４０による制御の下、再生ジッタ判定部１４１による再生ジッタの再判定が行われる（ステップＳＴ３０５）。再生ジッタ判定部１４１は、高周波モジュール１１４の電源がＯＦＦ設定された場合にのみ再生ジッタの再判定を行い（ステップＳＴ３０６）、同じく８％の閾値と比較してその判定結果を動作状態制御部１４２へ出力する。
【００２８】
動作状態判定部１４２は、再生ジッタの再判定結果を受信し、再生ジッタが８％以上（“ＨＩＧＨ”信号受信）あった場合（ステップＳＴ３０６“ＹＥＳ”）、高周波モジュール１１４の電源をＯＮ設定し（ステップＳＴ３０７）、８％未満（“ＬＯＷ”信号受信）の場合は（ステップＳＴ３０６“ＮＯ”）、高周波モジュール１１４の電源をＯＦＦ状態のままとする。すなわち、動作状態制御部１４２は、再生ジッタ判定部１４１による再生ジッタの再判定結果に基づき、Ｄ／Ａコンバータ１２３を介して高周波モジュール１１４の電源のＯＮ／ＯＦＦ設定制御を行う。以上の処理を経て光ディスク再生装置１００は再生動作に移行する。
【００２９】
図４〜図１０は、本実施の形態１に係る光ディスク再生装置１００の再生起動時と再生中の動作を、ケース（１）〜（７）毎に示したタイミング図である。
いずれのケースにおいても、（ａ）は再生ジッタ、（ｂ）は再生ジッタ判定部１４１出力（ジッタ判定）、（ｃ）は高周波モジュール１４１の電源ＯＮ／ＯＦＦ設定状態、（ｄ）は動作状態制御部１４２出力（動作状態制御）を、それぞれを時間軸上に示してある。なお、本実施の形態１では、動作状態制御部１４２がＤ／Ａコンバータ１２３を介して高周波モジュール１１４の駆動電流に重畳する高周波電流は、０か、Ｋ〔ｍＡｐｐ〕のいずれかの２値とする。
【００３０】
図４に示すケース（１）において、再生起動時、制御部１４は、再生ジッタが８％以下であるため、高周波モジュール１１４の電源をＯＦＦした状態で再生を開始している。また、再生中、制御部１４は、再生起動時同様再生ジッタが８％以下であり、高周波モジュール１１４の電源もＯＦＦ状態を継続しているため、再生ジッタの再判定は行わない。
【００３１】
図５に示すケース（２）において、再生起動時、制御部１４は、再生ジッタが８％以下であったが、高周波モジュール１１４の電源をＯＦＦしたところ再生ジッタが８％以上になったため、高周波モジュール１１４の電源をＯＮした状態で再生を開始している。また、再生中、制御部１４は、再生ジッタが８％未満（“ＬＯＷ”信号）になったため、高周波モジュール１１４の電源をＯＦＦしている。
【００３２】
図６に示すケース（３）において、再生起動時、制御部１４は、図５のケース同様、高周波モジュール１１４の電源をＯＮした状態で再生を開始し、再生中、再生ジッタが８％未満となったが、高周波モジュール１１４の電源をＯＦＦして再生ジッタを再測定したところ、８％以上になったため、高周波モジュール１１４の電源をＯＮしている。
【００３３】
図７に示すケース（４）において、再生起動時、制御部１４は、図５及び図６のケース（２）（３）と同様、高周波モジュール１１４の電源をＯＮした状態で再生を開始し、再生中、再生ジッタが８％以上になったため、高周波モジュール１１４の電源をＯＮ状態のまま継続制御している。
【００３４】
図８に示すケース（５）において、再生起動時、再生中共に制御部１４は、再生ジッタが８％以上であるため、高周波モジュール１１４の電源をＯＮ状態のまま継続制御している。
【００３５】
図９に示すケース（６）において、再生起動時、制御部１４は、再生ジッタが８％以上であるため、高周波モジュール１１４の電源をＯＮ状態のまま継続制御し、再生中、再生ジッタが８％未満になったため、高周波モジュール１１４の電源をＯＦＦしている。
【００３６】
図１０に示すケース（７）において、再生起動時、制御部１４は、図９のケース（６）同様、再生ジッタが８％以上であったため、高周波モジュール１１４の電源をＯＮ状態のままで再生を開始し、再生中、再生ジッタが８％未満になったため、高周波モジュール１１４の電源をＯＦＦして再度再生ジッタを測定したところ８％以上になり、このため、高周波モジュール１１４の電源をＯＮしている。
【００３７】
なお、図４〜図１０において、再生起動時を区間毎に割り当てた記号Ａ〜Ｅは、制御部１４の時間軸上での動作を示し、再生ジッタ判定部１４１による再生ジッタ判定、再生ジッタ判定部１４１から動作状態制御部１４２への再生ジッタ判定結果の送信、再生ジッタ判定部１４１による再生ジッタの再判定、再生ジッタ判定部１４１から動作状態制御部１４２への再生ジッタ再判定結果送信、動作状態制御部１４２からＤ／Ａコンバータ１２３を介して行う高周波モジュール１１４の電源ＯＮ／ＯＦＦ再設定動作のそれぞれを示す。
また、再生中を区間毎に割り当てた記号Ｆ〜Ｊは、同じく制御部１４の時間軸上での動作を示し、再生ジッタ判定部１４１による再生ジッタ判定、再生ジッタ判定部１４１から動作状態制御部１４２への再生ジッタ判定結果の送信、再生ジッタ判定部１４１による再生ジッタの再判定、再生ジッタ判定部１４１から動作状態制御部１４２への再生ジッタ再判定結果送信、動作状態制御部１４２からＤ／Ａコンバータを介して行う高周波モジュール１１４の電源ＯＮ／ＯＦＦ再設定動作のそれぞれを示す。
【００３８】
上述した本実施の形態１に係る光ディスク再生装置１００によれば、制御部１４が、光ディスク１０の再生起動時、高周波モジュール１１４を動作状態に設定すると共に再生ジッタを測定し、当該測定した再生ジッタが閾値以上の場合に、高周波モジュール１１４の動作状態を継続制御し、閾値未満の場合に、高周波モジュール１１４を非動作状態に設定して再生ジッタを再測定し、再測定の結果に基づき前記高周波モジュールの動作状態を制御することにより、高周波モジュール１１４を非動作状態に設定したままで再生を開始することができるため、高周波モジュール１１４から発生する高周波帯域の輻射波を抑制することができる。これにより、電波受信装置への影響を極力抑えることが出来、再生ノイズの発生を低減することができる。
【００３９】
実施の形態２．
上述した本実施の形態１では、制御部１４が高周波モジュール１１４の駆動電流に重畳する高周波電流は、０か、Ｋ〔ｍＡｐｐ〕のいずれか２値をとるものとしたが、ここで重畳する高周波電流を、例えば、０〜Ｋ［ｍＡｐｐ］までの間で段階的に可変とし、都度、再生ジッタを再判定して高周波モジュール１１４の動作状態を制御することにより省電力化がはかれる。これを実施の形態２として以下に詳細に説明する。
【００４０】
以下に説明する実施の形態２においても上述した実施の形態１同様、図１に示す光ディスク再生装置１００の構成を用いるものとする。但し、制御部１４の構成は、図１１に示されるように、図２に示す実施の形態１が有する構成に、更に、高周波電流調整部１４３が付加され構成されるものとする。他の構成は、図２に示す実施の形態１と同様である。
【００４１】
図１１において、高周波電流調整部１４３は、例えば、上述した高周波電流０〜Ｋ［ｍＡｐｐ］までの間をＭ（Ｍは２以上の整数）段階に調整し、増加させることができるものとする。このとき、主制御部１４０は、高周波モジュール１１４の動作状態を定期的に監視し、高周波モジュール１１４が動作状態にあり、かつ再生ジッタ判定部１４１により測定された再生ジッタが閾値を超える場合に、高周波モジュール１１４を動作状態に設定し、再生ジッタが閾値より小さくなるまでレーザ発光部１１１への駆動電流に重畳する高周波電流を調整して戻り光による再生ノイズの発生を抑制する必要がある。
【００４２】
図１２は、本実施の形態２に係る光ディスク再生装置１００の動作を示すフローチャートである。
以下、図１２のフローチャートを参照しながら、図１１に示す本実施の形態２に係る光ディスク再生装置１００（制御部１４）の動作について詳細に説明する。
【００４３】
図１２によれば、制御部１４（主制御部１４０）は、再生中、定期的にＬ〔ｍｓｅｃ〕で高周波モジュール１１４の動作状態を監視しており、ここでは、高周波モジュール１１４の電源がＯＦＦ状態にあるか否かの判定を行う（ステップＳＴ１２１）。
続いて、主制御部１４０は、再生ジッタ判定部１４１による再生ジッタの測定を行う（ステップＳＴ１２２）。再生ジッタ判定部１４１は、再生ジッタが８％以上の場合は（ステップＳＴ１２２“ＹＥＳ”）、“ＨＩＧＨ”信号を動作状態制御部１４２へ出力する。動作状態制御部１４２は、これを受けて高周波モジュール１１４の電源をＤ／Ａコンバータ１２３を介してＯＮ設定する（ステップＳＴ１２３）。
【００４４】
主制御部１４０は、高周波モジュール１１４の電源がＯＦＦ状態で（ステップＳＴ１２１“ＹＥＳ”）、再生ジッタ判定部１４１から“ＬＯＷ”信号を受信した場合に（ステップＳＴ１２２“ＮＯ”）、高周波モジュール１１４の電源をＯＦＦ状態のままとする。また、主制御部１４０は、高周波モジュール１１４の電源がＯＮ状態で（ステップＳＴ１２１“ＮＯ”）、再生ジッタ判定部１４１から“ＨＩＧＨ”信号を受信した場合に（ステップＳＴ１２９“ＮＯ”）、高周波モジュール１１４の電源をＯＮ状態のままとする。
【００４５】
また、主制御部１４０は、高周波モジュール１１４の電源がＯＦＦ状態で（ステップＳＴ１２１“ＹＥＳ”）、再生ジッタ判定部１４１から“ＨＩＧＨ”信号を受信した場合に（ステップＳＴ１２２“ＹＥＳ”）、動作状態判定部１４２により高周波モジュール１１４の電源をＯＮ設定する（ステップＳＴ１２３）。そして、高周波電流調整部１４３により、高周波モジュール１１４の駆動電流（レーザ駆動回路１３１により出力され、供給される駆動電流）に重畳する電流の調整を行う。そして、再生ジッタ判定部１４１から再生ジッタの再判定結果として“ＬＯＷ”信号を受信するまで、高周波モジュール１１４へ重畳する電流の調整動作を繰り返し実行する。
【００４６】
ここで、高周波電流調整部１４３が高周波モジュール１１４の駆動電流に重畳する電流は、０〜Ｋ〔ｍＡｐｐ〕まで、Ｍ回段階的に調整が可能であるものとする。このため、主制御部１４０は、高周波電流調整部１４３を制御して、再生ジッタ判定部１４１から“ＨＩＧＨ”信号を受信する毎に、重畳する高周波電流をＫ／Ｍ〔ｍＡｐｐ〕増加させる。
但し、最大の調整回数はＭ回とし、調整回数Ｎ〔回〕が最大調整回数Ｍ〔回〕を超えた時点で電流調整を終了する。
【００４７】
このため、主制御部１４０は、調整回数Ｎ（プログラムに設定されるカウンタＮ）に“１”を設定し（ステップＳＴ１２４）、高周波電流調整部１４３により、調整回数Ｎが最大調整回数Ｍ以下の条件で（ステップＳＴ１２５“ＹＥＳ”）、重畳電流をＫ／Ｍ〔ｍＡｐｐ〕増加させ（ステップＳＴ１２６）、調整回数Ｎを＋１更新する処理を実行する（ステップＳＴ１２７）。そして、主制御部１４０は、再生ジッタ判定部１４１から“ＨＩＧＨ”信号を受信し、すなわち、再生ジッタが８％以上である場合に（ステップＳＴ１２８“ＮＯ”）ステップＳＴ１２５〜ＳＴ１２７の処理を繰り返し実行することにより、重畳する高周波電流を、都度、段階的に増加させ、再生ジッタが８％未満になったところで（ステップＳＴ１２８“ＹＥＳ”）電流調整の繰り返し処理の実行を終了する。
【００４８】
なお、主制御部１４０は、高周波モジュール１１４の電源がＯＮ状態で（ステップＳＴ１２１“ＮＯ”）、再生ジッタ判定部１４１から“ＬＯＷ”信号を受信した場合（ステップＳＴ１２９“ＹＥＳ”）、動作状態制御部１４２によりＤ／Ａコンバータ１２３を介して高周波モジュール１１４の電源をＯＦＦ設定し（ステップＳＴ１３０）、また、再生ジッタ判定部１４１による再生ジッタの再判定を行なう（ステップＳＴ１３１）。続いて主制御部１４０はステップＳＴ１２２の処理に戻ってその再判定結果にしたがい上述した動作状態制御部１４２によりＤ／Ａコンバータ１２３を介して高周波モジュール１１４の電源ＯＮ／ＯＦＦ制御を行う。
【００４９】
図１３に、光ディスク１０再生中における電流調整の具体例がタイミング図として示されている。図１３は、図４〜図１０に実施の形態１として示したタイミング図同様、（ａ）は再生ジッタ、（ｂ）は再生ジッタ判定部１４１の出力（ジッタ判定）、（ｃ）は高周波モジュール１１４の電源ＯＮ／ＯＦＦ、（ｄ）動作状態制御部１４２の出力（動作状態制御）のそれぞれを時間軸上に示したものである。
また、再生中を区間毎に割り当てた記号Ｆ〜Ｋは、制御部１４の時間軸上での動作を示し、再生ジッタ判定部１４１による再生ジッタ判定、再生ジッタ判定部１４１から動作状態制御部１４２への再生ジッタ判定結果の送信、再生ジッタ判定部１４１による再生ジッタの再判定、再生ジッタ判定部１４１から動作状態制御部１４２への再生ジッタ再判定結果送信、再生ジッタ判定部１４１による再生ジッタの再判定、再生ジッタ判定部１４１から動作状態制御部１４２への再生ジッタ再判定結果送信、のそれぞれを示す。
【００５０】
図１３によれば、再生起動時、制御部１４は、再生ジッタが８％以下であるため、高周波モジュール１１４の電源をＯＦＦ状態で再生を起動し、また、再生中、再生ジッタが８％以上になったため、高周波モジュール１１４の電源をＯＮ設定し、重畳する電流調整を行っている。ここでは、再生ジッタ判定部１４１から“ＨＩＧＨ”信号を受信する毎に、調整回数Ｎ＝１〜Ｍ回の電流調整により、レーザ発光部１１１の駆動電流に重畳される電流が段階的に増加していることが理解できる。
【００５１】
上述した実施の形態２に係る光ディスク再生装置１００によれば、制御部１４は、光ディスク１０の再生中、高周波モジュール１１４の動作状態を定期的に監視し、高周波モジュール１１４が動作状態にあり、かつ測定した再生ジッタが閾値以上の場合、高周波モジュール１１４を動作状態に設定し、再生ジッタが閾値未満になるまでレーザ発光部１１１への駆動電流に重畳する高周波信号を調整することにより、高周波モジュール１１４から発生する高周波帯域の輻射波を抑制することができ、これより、電波受信装置への再生ノイズの発生を抑え、車載機器の動作不具合の発生を回避することが出来る。
【００５２】
なお、上述した本実施の形態２では、調整回数Ｎが最大調整回数Ｍ以下の条件で、駆動電流に重畳する高周波電流をＫ／Ｍ〔ｍＡｐｐ〕だけ増加させることとしたが、高周波電流をＭに満たない所定回数増加させても再生ジッタが閾値未満にならない場合、高周波モジュール１１４を強制的に非動作状態に設定（電源ＯＦＦ）して戻り光による再生ノイズの発生を抑制してもよい。この場合、上述した実施の形態２が有する効果に、更に、無駄な処理を省略したことによる高速再生処理、ならびに省電力化が図れる。
【００５３】
なお、図１、図２、図１１の制御部１４が有する機能は、全てをソフトウェアによって実現しても、あるいはその少なくとも一部をハードウェアで実現してもよい。
例えば、制御部１４が、Ｄ／Ａコンバータ１２３を介して高周波モジュール１１４の動作状態を制御すると共に、光ディスク１０から読み出される信号から再生ジッタを測定し、高周波モジュール１１４が非動作状態にあり、かつ、光ディスク１０の再生を継続するのに必要な再生ジッタを維持できると判定された場合に、高周波モジュール１１４を非動作状態としたまま光ディスク１０の再生を行うデータ処理は、１または複数のプログラムによりコンピュータ上で実現してもよく、また、その少なくとも一部をハードウェアで実現してもよい。
【符号の説明】
【００５４】
１０  光ディスク、１１  光ピックアップ部、１２  信号処理部、１３  レーザ制御部、１４  制御部、１００  光ディスク再生装置、１１１  レーザ発光部、１１２  光検出器、１１３  パワー検出器、１１４  高周波モジュール、１１５  対物レンズ、１１６  ビームスプリッタ、１２１  信号生成マトリックス回路、１２２  Ａ／Ｄコンバータ、１２３  Ｄ／Ａコンバータ、１３１  レーザ駆動回路、１３２  パワー検出信号回路、１４０  主制御部、１４１  再生ジッタ判定部、１４２  動作状態制御部、１４３  高周波電流調整部。
【図１】
2011081852.tif 000003
【図２】
2011081852.tif 000004
【図３】
2011081852.tif 000005
【図４】
2011081852.tif 000006
【図５】
2011081852.tif 000007
【図６】
2011081852.tif 000008
【図７】
2011081852.tif 000009
【図８】
2011081852.tif 000010
【図９】
2011081852.tif 000011
【図１０】
2011081852.tif 000012
【図１１】
2011081852.tif 000013
【図１２】
2011081852.tif 000014
【図１３】
2011081852.tif 000015